(57)【要約】      （修正有）【課題】複層建築物に敷設する立体庭園における自動潅水システム、栄養、薬剤自動補給システム及び泥の自動回収システム。【解決手段】各階に、縦管３で接続された排水口２３と給水口２１、各階庭園６、潅水スペース２０、表土の乾きセンサー７、制御装置１０１，１０２，１０６，１０７，１０８、建物の最上部に、給水槽２９、建物の最下層に貯留槽２７を設け、各階の排水口２３から縦管３を通して排水して貯留槽２７へ給水し、前記貯留槽２７より給水槽２９に揚水し、給水槽２９から各階の給水口２１を介して、各階庭園６へ給水し、制御装置は、表土の乾きセンサー７からのデータに基づき、給水口２１または排水口２３の制御によって、給水量、または、排水量を制御し、蒸発する水を雨水、中水または上水を自動で補充制御して、潅水を循環させる。【選択図】図１
2015037380.tif 000002
【特許請求の範囲】
【請求項１】
複層建築物に敷設する立体庭園の潅水において、
各階に、縦管で接続された排水口と給水口、各階庭園、潅水スペース、表土の乾きセンサー、制御装置、建物の最上部に、給水槽、建物の最下層に貯留槽を設け、
各階の前記排水口から前記縦管を通して排水して前記貯留槽へ給水し、前記貯留槽より前記給水槽に揚水し、前記給水槽から各階の前記給水口を介して、前記各階庭園へ給水し、
前記制御装置は、表土の乾きセンサーからのデータに基づき、前記給水口、または、前記排水口の制御によって、給水量、または、排水量を制御し、蒸発する水を雨水、中水または上水を自動で補充制御して、潅水を循環させることを特徴とする立体庭園における自動潅水システム。
【請求項２】
前記排水口の口径を、潅水スペースが満水になるまで給水された後所定の時間潅水するように算出された口径としたことを特徴とする請求項１記載の立体庭園における自動潅水システム。
【請求項３】
前記排水口に口径調整装置を取り付け、各階庭園の表土の乾きを表土の乾きセンサーなどの前記制御装置の制御データに基づき、自動で口径を調整することにより立体庭園の潅水の時間を自動的に調整することを特徴とする請求項１または２記載の立体庭園における自動潅水システム。
【請求項４】
制御装置は１日に１回または複数回の潅水の時間帯を設定することによって、各階庭園の表土の乾きを表土の乾きセンサーで探知して給水時間、散水時間または排水口の口径を演算して口径を制御することで自動的に潅水することを特徴とする請求項１〜６までのいずれか一つに記載の立体庭園における自動潅水システム。
【請求項５】
複層建築物に敷設する立体庭園の養液、薬剤の補給において、
各階庭園に、養液、薬剤槽、堆肥、薬剤などの濃度センサー、制御装置を設け、前記濃度センサーからのデータに基づき、前記養液、薬剤槽の給液口を制御することによって、各階庭園へ自動で養液、薬剤を補給する、または、堆肥の施肥を行う、ことを特徴とする立体庭園における自動養液、薬剤補給システム。
【請求項６】
前記潅水スペースを、根、または、底部に開口を持つ容器に入れたなどによって給排水性のある植栽ユニットベース、廻りの粒状軽石など用土間の空隙または容器廻りの空隙を潅水スペースとし、根または植栽ユニットベース廻りに水を流すことによって潅水することを特徴とする請求項１記載の立体庭園における自動潅水システム。
【請求項７】
複層建築物に敷設する立体庭園の潅水において、
躯体上の防水層の上に波型、格子状凹凸型等の成型透水板、または、防水層の上に波型、格子状凹凸型等の成型有孔板、前記成型有孔板の上に透水性防根シートを置くことによって、各階庭園底部に、水が流れ、潅水する、潅水スペースを造ったことを特徴とする立体庭園における自動潅水システム。
【請求項８】
前記成型透水板を、化学的に中性で、耐蝕性の軽量骨材を中性の結合材で固めた成型透水板、珪藻土を固めた成型透水板等とし、多孔質で透水性があり、孔が微細で根を通さないことを特徴とする請求項７記載の立体庭園における自動潅水システム。
【請求項９】
前記各階庭園と前記縦管の間にオーバーフロー貯水槽を設け、前記排水口または前記オーバーフロー貯水槽排水口より下に泥だめを設けたことを特徴とする請求項１〜７までのいずれか一つに記載の立体庭園における自動潅水システム。
【請求項１０】
各階庭園に、植栽、潅水のための、池、水路、散水栓、噴霧栓、または、舗装のための保水床板を設け、各階庭園に接する室に開口、室の各階庭園と反対側に排気塔または、外気に接した開口を設け、各階庭園の潅水を自動で行うことによって、夏季植栽の水分、池等の潅水のための装置または保水床板の水の気化熱（冷気）を室内に取り入れ、前記排気塔、または、外気に接した開口へ抜き、冬期庭園の輻射熱を室内に取り入れることを特徴とする立体庭園における自動潅水システム。
【請求項１１】
前記保水床板の水位を、水位センサーによって、保水床板の表面が濡れ過ぎないように、保水床板表面以下に維持することを特徴とする請求項１０記載の立体庭園における自動潅水システム。
【請求項１２】
前記各階庭園に接する室の開口、室の各階庭園と反対側の排気塔の開口または外気に接した開口に自動開閉式開口または換気扇を、室内に温度センサーを設け、温度センサーによって温度を探知し、自動開閉式開口の開閉または換気扇の回転を制御することによって、室内への水の気化熱の取り入れ、または、室内温度を調整することを特徴とする請求項１０または１１記載の立体庭園における自動潅水システム。
【請求項１３】
複層建築物に敷設する立体庭園の泥の回収において、
請求項１記載の縦管、排水口及び貯留槽を用いて、前記貯留槽の配水口より下に泥だめ、泥搬出口、貯留槽底の水位を探知する水位センサーを設け、前記貯留槽の底に勾配をつけることによって、前記貯留槽底の水位を探知し、前記泥搬出口より各階庭園の泥を、泥の重力で自動的に回収することを特徴とする立体庭園における泥の自動回収システム。
【発明の詳細な説明】
【技術分野】
【０００１】
本発明は、複層建築物に敷設する立体庭園における自動潅水システムに関するものである。立体庭園の諸システムは、潅水、栄養、薬剤補給、泥の回収、日照、樹木の支持、管理及び立体庭園の形態によって構成される。ここでいう用土とは、通気性や排水性に優れ、しかも保水性に富むという培養面に適している赤玉土、鹿沼土、腐葉土、砂類、粒状軽石等の総称である。用土の粒の大きさも培養面、潅水面、管理面において大きな要素になる。潅水スペースとは、根にあまねく潅水し、余分な水は流れて排水口に至らしめるスペースである。従って、根が用土と共に給排水性のある容器に入っている場合潅水スペースは、容器回りの空隙でよく、根が容器に入らずに露出している場合潅水スペースは、根回りの用土がくずれないようにし、かつ水が根に潅水した後排水口へ流れるようにするために用土間に空隙が必要であり、所定の粒の大きさが望まれる。根回りにおける管理スペースとは、伸びすぎた根を切断または植え替えを容易にするためのスペースである。従って、根が用土と共に根が伸出できる容器に入っている場合管理スペースは、容器回りの空隙でよく、根が容器に入らずに露出している場合管理スペースは、根回りの用土がくずれないようにしかつ用土を容易に撤去、復旧できることが望まれる。潅水スペースと管理スペースは兼ねることができる。樹木の支持方法については、高木を植えるにしても用土による建築物への荷重負担を最小限にすること、建築躯体への水の浸入を防ぐことがポイントになる。立体庭園の形態については、都市景観に緑を生むバーチカルガーデンであること、高層階であっても居室から緑が見えることが望まれる。
【背景技術】
【０００２】
従来建築物に敷設する立体庭園の形態と管理についての技術があった。（特許文献１参照）
【０００３】
建造物に敷設する庭園の潅水を含む屋上緑化システムの技術があった。（特許文献２参照）
【０００４】
屋上庭園の建築の防水と関係付けた施工方法の技術があった。（特許文献３、４参照）
【０００５】
潅水設備を持った壁面緑化装置の技術があった。（特許文献５参照）
【０００６】
屋上及び地上緑化システム用潅水制御装置の技術があった。（特許文献６参照）
【０００７】
植物の倒伏防止装置及び自動潅水装置を備えた分割ユニット式庭園の技術があった。（特許文献７参照）
【０００８】
構造物上の庭園に使用される植樹ポットの技術があった。（特許文献８参照）潅水装置を備えた組合せ式庭園の技術があった。（特許文献９参照）
【０００９】
人口地盤上での樹木の支持方法の技術があった。（特許文献１０参照）
【特許文献１】特公平７−１１３２７８
【特許文献２】特許第３６９９４２８号
【特許文献３】特開２００２−８４８７５
【特許文献４】特開２００４−２９３０３１
【特許文献５】特許第２８２２２９０号
【特許文献６】特許第３９９２９３９号
【特許文献７】特開２００４−４９１５６
【特許文献８】特開２００１−２７５５０
【特許文献９】特開平６−９８６３６
【特許文献１０】特開平１０−１４４１９
【発明の開示】
【発明が解決しようとする課題】
【００１０】
都市はますます高層化し、緑が少なくなってきている。高層ビル群の中では地上の緑だけでは十分ではない。ヒートアイランドの公害も発生している。二酸化炭素削減の課題もある。建築物に敷設した立体庭園（バーチカルガーデン）が望まれる。
【００１１】
建築物に敷設した人工庭園の場合、植樹に対して地植えの場合よりもはるかに潅水と、管理が必要である。潅水においては、複数階のバルコニー部、屋上部、吹き抜け部に敷設した立体庭園に対し、その乾きに応じた潅水が自動的に行われること、または、庭園の潅水状況がフイードバックされて適切な潅水になるよう調整されることである。潅水の時間は、何分でなければならないというほど厳格なものではなく、十分潅水して後、底に水を残さないことである。水を残すと根腐れの原因となる。また、潅水した後の余分な水は捨てられるのではなく、他の立体庭園へ導入されるかまたは貯留槽に蓄えられて再利用されること即ち潅水の循環が、省エネルギー面から望まれる。潅水の循環が、持続するためには、泥等の回収設備と管理が必要である。植樹の管理においては、根の発育のスペースが限られているので、約１年〜５年に一度ほど根を切断しなければならない。その期間は、樹木の種類と根の回りの発育スペースによって決まる。状況によって植え替えの必要性も出てくる。高層階の高木の植え替えを行うとなると建造物にクレーン等の設備を付設しておかなければならない。
【００１２】
日本には古来より盆栽の技術がある。適度な潅水と肥料を継続し、一定の期間で植替え、伸び過ぎた根、下方へ伸びる根を切断し、剪定を行っておれば、鉢の大きさを変えることなく同じ鉢に何十年も生き続ける。良い管理を行えば樹格は向上する。
【００１３】
建築物に庭園を敷設しても、十分な日照、潅水、管理がなければ植樹は枯れてしまって、かえって見苦しいスペースを見せることになる。潅水と管理を居住者等に全面的にゆだねてしまうのも個人差があって庭園を維持していく上で問題を残す。特に潅水は、用土の上から潅水しても土の上を流れるだけで下の根まで浸透していない場合が多い。植樹の管理を専門家にゆだねるには、専門家が、道具、用土、肥料、殺虫剤、植樹等を運搬できるように専用の動線が必要である。植樹管理の労力を最小限にし、樹木を健康に維持するために、自動潅水システム、自動栄養、薬剤補給システム及び泥の自動回収システム並びに自動日照システムが望まれる。
【００１４】
立体庭園の樹木の支持方法においては、外観上の配慮から支柱を使わず、なおかつ用土の荷重を減らして建築物への荷重負担を減らすことが望まれる。また、高木を植栽する場合、強風に対して転倒しないようにするためには、高木を容器に入れて置くだけでなく建築躯体と連結して支持することが必要となる。その場合建築物への防水性を図りながらどのように高木を建築躯体で支持するのかが課題になる。これについては、別途出願をする。
【００１５】
住宅も高層化し、暮しから自然が遠ざかってきている。各住戸に庭園が望まれる。現在の高層住宅の階高では中高木を植えた庭園を造るには低過ぎる。そのために階高を高くするのも不経済である。また、都市環境、景観上、都市に緑を生むバーチカルガーデンが望まれる。
以上の如く、複層建築物に持続可能な立体庭園を敷設するには、適切な潅水、栄養、薬剤の補給、泥の回収、日照、樹木の支持方法、管理及び形態の要件が必要である。これらの要件は、相互に関連しており一つが欠けても持続的な立体庭園は成立しない。従ってこれらの要件を分離せずに統合された立体庭園のためのシステムが必要である。
【課題を解決するための手段】
【００１６】
複層建築物の立体庭園システムの潅水において、根（３６）、または、根（３６）を底部に開口を持つなどによって給排水性のある容器（１７）またはネットで用土（１６）と共に囲んだ植栽ユニットベース（１９）、の回りに粒状軽石などの用土間の空隙または容器回りの空隙によって水が流れるように造られた潅水スペース（２０）を設け、前記潅水スペース（２０）の上部に給水口（２１）を設け、前記潅水スペース（２０）の下部に潅水スペースが満水になるまで給水された後所定の時間潅水するように算出された直径の排水口（２３）を設ける。前記排水口（２２、２３）の水を別な立体庭園（２）または貯留槽（２７）へ給水し、前記貯留槽（２７）より揚水して給水槽（２９）へ給水し、給水槽（２９）より縦管（３）または水路にて立体庭園へ給水することにより潅水を自動または手動で循環し、蒸発する水を雨水、中水または上水で自動補充する。
【００１７】
前記立体庭園（２）内に散水栓を設け、自動または手動で潅水する。
【００１８】
前記立体庭園の潅水を、立体庭園の表土の乾きをセンサーで探知して自動潅水とする。
【００１９】
前記排水口（２３）に口径調整装置を取り付け、立体庭園の表土の乾きをセンサーで探知して自動で口径を調整することにより立体庭園の潅水の時間を自動的に調整する。
【００２０】
１日に１回または複数回の潅水の時間帯を設定することによって、立体庭園の表土の乾きをセンサーで探知して給水時間、散水時間または排水口（２３）の口径を演算して自動的に潅水する。
【００２１】
躯体上の防水層の上に波型、格子状凹凸型等の成型透水板（３７）、または、防水層の上に波型、格子状凹凸型等の成型有孔板（３８）、前記成型有孔板の上に透水性防根シート（３９）を置くことによって、各階庭園底部に、水が流れ、潅水する、潅水スペース（２０a）を造る。
【００２２】
前記成型透水板を、化学的に中性で、耐蝕性の軽量骨材を中性の結合材で固めた成型透水板、珪藻土を固めた成型透水板等とし、多孔質で透水性があり、孔が微細で根を通さないようにする。
【００２３】
前記各階庭園と前記縦管の間にオーバーフロー貯水槽（２４）を設け、前記排水口または前記オーバーフロー貯水槽排水口より下に泥だめ（２６）を設ける。
【００２４】
各階庭園に、植栽、潅水のための、池、水路、散水栓、噴霧栓、または、舗装のための保水床板を設け、各階庭園に接する室に開口、室の各階庭園と反対側に排気塔または、外気に接した開口を設け、各階庭園の潅水を自動で行うことによって、夏季植栽の水分、池等の潅水のための装置または保水床板の水の気化熱（冷気）を室内に取り入れ、前記排気塔、または、外気に接した開口へ抜き、冬期庭園の輻射熱を室内に取り入れる。
【００２５】
前記保水床板の水位を、水位センサーによって、保水床板の表面が濡れ過ぎないように、保水床板表面以下に維持する。
【００２６】
前記各階庭園に接する室の開口、室の各階庭園と反対側の排気塔の開口または外気に接した開口に自動開閉式開口または換気扇を、室内に温度センサーを設け、温度センサーによって温度を探知し、自動開閉式開口の開閉または換気扇の回転を制御することによって、室内への水の気化熱の取り入れ、または、室内温度を調整する。以上を特徴とする自動潅水システムである。
【００２７】
各階庭園（６）に、養液、薬剤槽、堆肥、薬剤などの濃度センサー（７７）、制御装置を設け、前記濃度センサーからのデータに基づき、前記養液、薬剤槽の給液口を制御することによって、各階庭園（６）へ自動で養液、薬剤を補給する、または、堆肥の施肥を行う自動養液、薬剤補給システムである。
【００２８】
自動潅水システムのための縦管（３）、排水口（２３）及び貯留槽（２７）を用いて、前記貯留槽（２７）の配水口（７９）より下に泥だめ（２６）、泥搬出口（７８）を設け、貯留槽（２７）の底に勾配をつけることによって、前記泥搬出口（７８）より各階庭園（６）の泥を泥の重力によって自動回収する自動泥回収システムである。
【００２９】
複層建築物の立体庭園の管理において、立体庭園（２、２a、２b、４５）の管理のために前記立体庭園（２、２a、２b、４５）を地上へ通じるエレベーター、リフト、ゴンドラ、階段、梯子、クレーン等の管理縦動線（３０）で接続または前記立体庭園（２、２a、２b、４５）を通路、デッキ等の管理横動線（３１）で前記管理縦動線（３０）と接続することによって前記立体庭園（２、２a、２b、４５）を地上（１００）と接続し、１本または複数本の樹木からなる植栽ユニット（１２）の根（３６）または根（３６）を成育に伴って伸出できるように有孔の容器（３３）またはネットで用土と共に囲んだ植栽ユニットベース（１９）の回りに、粒状軽石等の用土または空隙によってなり、根（３６）を露出できるように造られた管理スペース（４０）を設け、定期的に管理スペース（４０）内の伸びた根（３６）を切断または樹木、植栽ユニット（１２）の植え替えをする。
【００３０】
複層建築物（１）の外壁または開口部より外側に床（３２）を取り付け、床上を立体庭園（２a）とする立体庭園において、上下層の床（３２）間の高さを前記複層建築物（１）の２層の高さとし、立面視、左右隣り合う立体庭園（２a）を上下に１層違えることによって、前記複層建築物（１）の各層（階）に前記複層建築物（１）の２層の高さを持った立体庭園（２a）を敷設する。
【００３１】
前記複層建築物（１）を集合住宅（４）、宿舎または室（以降集合住宅等と呼ぶ）とし、前記集合住宅等の概略１／２間口に前記立体庭園（２a）を敷設することによって、前記集合住宅（４）等の各住戸（４a）または各室に２層の高さの立体庭園（２a）を敷設する。
【００３２】
屋上またはバルコニーに立体庭園を階段状に設けることにより棚園（２b）とし、棚園を滝（９９）または水路（９８）でつなぎ、棚園（２b）内に水路（９８）を設け、水路（９８）より給水または水路へ排水することによって棚園（２b）の潅水をする。  
【００３３】
複層建築物（１）の外壁面に所定の奥行き（L）を持った開口を設け、前記開口に敷設する立体庭園（４５）において、前記立体庭園（４５）に蔓性植物（８）、斜幹（９）、懸崖（１０）または株性（１１）の樹木を前記複層建築物（１）の外壁面または外壁面より外部へ幹枝が行くように植栽または植栽ユニット（１２）を設置し、そのための潅水設備（１３）と管理のための点検スペース（１４）または点検通路を設け、樹木を育成、管理していく。
【００３４】
前記立体庭園（２、４５）回りを逆梁構造（４２）とし、スラブ（３２）天端から梁天端までのスペースを、前記立体庭園（２、４５）の用土、ポットまたは根（３６）のスペースとして使用する。
【００３５】
集合住宅等のバルコニー（７５）に敷設する立体庭園において、バルコニー（７５）先端部に縁（８０）を設け、この縁（８０）を一辺として他にも縁（８０）を床（３２）上に設けて縁（８０）で囲まれた庭園スペース（８１）を造り、前記縁（８０）の内側または天端にアンカーボルト（８２）を取り付け、前記庭園スペース（８１）内にネット（８３）を置き、床（３２）より所定の間隔を空けて前記アンカーボルト（８２）にネット（８３）を取り付け、ネット（８３）に植樹の根（３６）を絡ませることにより植樹を支持する。庭園への潅水の排水をバルコニー（７５）に設けられた竪樋（８４）へ排水する。
【００３６】
前記庭園スペース内（８１）の水上に有孔給水管（８３）を埋め、前記有孔給水管（２８）に給水することによって庭園スペース（８１）内に潅水し、その排水を竪樋（８４）へ流し、竪樋（８４）の排水を貯留槽へ流し、貯留槽の水を揚水して給水槽へ給水し、給水槽より庭園スペース内へ給水することによって潅水を循環させる。
【００３７】
前記アンカーボルト（８２）を前記縁（８０）の内側とし、アンカーボルト（８２）を内側下へ向けて勾配を取り、アンカーボルトと前記縁（８０）との接点を庭園スペース（８１）内用土（１６）の上面より高くして建築躯体（６４）への水の浸入を防ぐ。
【００３８】
前記縁（８０）と床（３２）の替りに水盤状の容器を用い、ネット（８３）を前記容器に取り付ける。以上を特徴とする立体庭園の諸システムである。
【発明の効果】
【００３９】
都市内建築物に立体庭園（バーチカルガーデン）を敷設することにより、都市の景観を良くし、ヒートアイランド、二酸化炭素の削減にも寄与する。また、そこで暮す人、仕事をする人に潤いを与える。庭園の替りに、菜園または稲園とすることもできる。
【発明を実施するための最良の形態】
【００４０】
以下、発明を図示する実施形態に基づいて説明する。図１は、本発明の立体庭園における自動潅水システムついて示した実施例の断面図である。
複層建築物（１）に敷設する立体庭園（２）の潅水において、
各階に、縦管（３）で接続された排水口（２３）と給水口（２１）、各階庭園（６）、潅水スペース（２０）、表土の乾きセンサー（７）、制御装置（１０１，１０６，１０８）、建物の最上部に、給水槽（２９）、建物の最下層に貯留槽（２７）を設け、
各階の排水口から縦管（３）を通して排水して貯留槽（２７）へ給水し、前記貯留槽（２７）より給水槽（２９）に揚水し、給水槽（２９）から各階の給水口（２１）を介して、各階庭園（６）へ給水し、
前記制御装置（１０１，１０６，１０８）は、表土の乾きセンサー（７）からのデータに基づき、前記給水口（６）、または、排水口（２３）の制御によって、給水量、または、排水量を制御し、蒸発する水を雨水、中水または上水を自動で補充制御して、潅水を循環させることを特徴とする立体庭園における自動潅水システムである。
乾きセンサー（７）に、電気式湿度計のセンサーを利用できる。即ち、乾きセンサー部分に、水蒸気の増減によって静電容量が変化するチップを入れておき、これによって各階庭園（６）の表土の乾きを探知してこれを制御盤（１０１）で受けて、給水口（２１）または排水口（２３）の開閉弁（１０５）を、制御装置（１０１，１０６，１０８）によって制御する。
【００４１】
前記排水口（２３）の口径を、潅水スペースが満水になるまで給水された後所定の時間潅水するように算出された口径としても良い。
【００４２】
前記排水口（２３）に口径調整装置（１０８）を取り付け、各階庭園の表土の乾きを表土の乾きセンサー（７）などの前記制御装置の制御データに基づき、自動で口径を調整することにより立体庭園の潅水の時間を自動的に調整する。
図２は、潅水循環の実施例である。図２の（１）は比較的小規模な立体庭園の実施例で、各階庭園の（６）の配水を別な各階庭園（６）へ給水し、最下層の各階庭園（６）から最上層の各階庭園（６）へポンプアップ、給水して潅水を循環、蒸発する水を雨水、中水または上水で補充する。図２の（２）は、最下層に貯留槽（２７）、最上層に給水槽（２９）を設けた例である。図２の（３）は、給水槽（２９）から各階庭園（６）へ給水し、各階庭園（６）から貯留槽（２７）へ排水する例である。
【００４３】
１日に１回または複数回の潅水の時間帯を設定することによって、各階庭園（６）の表土の乾きを表土の乾きセンサー（７）で探知して給水時間、散水時間または排水口（２３）の口径を演算して自動的に潅水する。
即ち、（a）制御盤に、１日に１回または複数回の潅水の時間を設定する。例（夏季）１０時、１６時。散水栓、開放度８０％と設定。（b）表土の乾きセンサーより給水量を算出。（c）（排水口の口径を、潅水スペースが満水になるまで給水された後所定の時間潅水するように算出された口径としておく場合）散水時間を決めて、その間弁を開ける。または、（c）（排水口に口径調整装置を付けておく場合）散水時間を決めて、その間弁を開け、排水口の口径を調整し、所定の時間潅水する。である。制御装置は、制御盤（１０１）、給水口（２１）または排水口（２３）の弁（１０５、１０３）の開閉装置（１０６，１０８）、排水口（２３）の口径調整装置（１０３，１０８）によって構成される。制御盤（１０１）は、例えば、建物（施設）監視室内に置かれ、弁の開閉装置または口径調整装置は、弁と共に給水口または排水口に設けられる。
制御盤（１０１）、開閉装置（１０５，１０８）、センサー（７）の接続は、無線または有線であっても良い。
【００４４】
図１参照。複層建築物（１）に敷設する立体庭園（２）の栄養、薬剤の補給において、
各階庭園（６）に、養液、薬剤槽（４３）、堆肥、薬剤などの濃度センサー（７７）、制御装置を設け、前記濃度センサー（７７）からのデータに基づき、前記養液、薬剤槽（４３）の養液口を制御することによって、各階庭園（６）へ自動で養液、薬剤を補給する。または、堆肥の施肥を行う。以上を特徴とする立体庭園における自動栄養、薬剤補給システムである。
各階庭園（６）の排水管（１２１）の排水液において、ガラス電極法にてｐｈを測定し、酸化還元電位計、電導率計、溶存酸素計にて、酸化還元度、電導率、溶存酸素を測定して、堆肥または薬剤の濃度を算出する。養液、薬剤槽（４３）は、槽内にて養液槽と薬剤槽に分割される。
【００４５】
図３、図４参照。前記潅水スペース（２０）を、根（３６）、または、根（３６）と用土（１６）を底部に開口を持つなどによって給排水性のある容器（１７）に入れたなどによって給排水性の有る植栽ユニットベース（１９）、廻りの粒状軽石など用土間の空隙または容器廻りの空隙を潅水スペース（２０）とし、根または植栽ユニットベース廻りに水を流すことによって潅水する。図３は、根（３６）廻りに、粒状軽石など用土間の空隙によって水が流れる（潅水する）ように造られた潅水スペース（２０）の実施例である。図４は、給排水性のある容器（１７）に入れた植栽ユニットベース（１９）の廻りの空隙によって水が流れるように造られた潅水スペース（２０）である。
【００４６】
図５参照。躯体上の防水層（６３）の上に波型、格子状凹凸型等の成型透水板（３７）、または、防水層（６３）の上に波型、格子状凹凸型等の成型有孔板（３８）、前記成型有孔板（３８）の上に透水性防根シート（３９）を置くことによって、各階庭園底部に、水が流れ、潅水する、潅水スペースを造った実施例である。
【００４７】
前記成型透水板（３７）を、化学的に中性で、耐蝕性の軽量骨材を中性の結合材で固めた成型透水板（３７）、珪藻土を固めた成型透水板（３７）等とし、多孔質で透水性があり、孔が微細で根を通さないようにする。
【００４８】
排水管（１２１）の横引きがあり、十分な勾配が取れない場合、排水管（１２１）に泥がたまり、排水管（１２１）を塞ぐことになる。図３、図４参照。前記各階庭園（６）と縦管（３）の間にオーバーフロー貯水槽（２４）を設け、前記排水口（２３）または前記オーバーフロー貯水槽排水口（２５）より下に泥だめ（２６）を設ける。
【００４９】
図６参照。各階庭園に、植栽、潅水のための、池、水路（９８）、散水栓、噴霧栓（１１５）、または、舗装のための保水床板（１１０）を設け、各階庭園に接する室に開口（１１１）、室の各階庭園と反対側に排気塔（１１２）または、外気に接した開口を設け、各階庭園の潅水を自動で行うことによって、夏季植栽の水分、池等の潅水のための装置または保水床板の水の気化熱（冷気）を室内に取り入れ、前記排気塔（１１２）、または、外気に接した開口へ抜き、冬期庭園の輻射熱を室内に取り入れる。潅水のための水、保水床板の水に地下水を利用することによって、各階庭園の外気温を下げることができる。排気塔に、階段、エレベーターシャフト等を利用することができる。
【００５０】
前記保水床板（１１０）の水位を、水位センサー（１１６）によって、保水床板（１１０）の表面が濡れ過ぎないように、保水床板（１１０）表面以下に維持する。
【００５１】
前記各階庭園に接する室の開口（１１１）、室の各階庭園と反対側の排気塔（１１２）の開口（１１１a）または外気に接した開口に自動開閉式開口または換気扇を、室内に温度センサー（１１７）を設け、温度センサー（１１７）によって温度を探知し、自動開閉式開口の開閉または換気扇の回転を制御することによって、室内への水の気化熱の取り入れ、または、室内温度を調整する。以上を特徴とする自動潅水システムである。
【００５２】
図１参照。複層建築物（１）に敷設する立体庭園（２）の泥の回収において、
請求項１記載の縦管（３）、排水口（２３）及び貯留槽（２７）を用いて、前記貯留槽（２７）の配水口（７９）より下に泥だめ（２６）、泥搬出口（７８）を設け、貯留槽（２７）の底に勾配をつけることによって、前記泥搬出口（７８）より各階庭園（６）の泥を泥の重力によって自動回収する。以上を特徴とする立体庭園における泥の自動回収システムである。
泥は、塩化物を含まない凝集剤（材）にて脱水、これをセメント等の原料として利用する。または、脱水したものをふるいにかけて、微塵以外を搬送管にて各階庭園（６）へ搬送、再利用する。
【００５３】
図７参照。複層建築物（１）に敷設する立体庭園（２）の日照において、
日照を受ける面に反射板（１１３）、太陽光発電装置を設け、前記反射板（１１３）に自動角度調整装置を取り付け、前記反射板（１１３）の自動角度調整装置を太陽光発電により駆動して各階庭園（６）に日照、または、各階庭園の上部に反射板（１１３a）を設け、上部の反射板（１１３a）に前記日照を受ける反射板（１１３）の日照を当てることによって各階庭園に日照する。太陽光発電装置、自動角度調整装置の図示は省略する。太陽光発電装置は、反射板（１１３）と共に太陽に向かって動く必要があるので、太陽光発電装置は、反射板（１１３）と同じ面、または、反射板（１１３）と並べて配置されることになる。
【００５４】
前記各階庭園（６）に面して室、室内に温度センサー（１１７）を設け、温度センサー（１１７）によって室内温度を探知し、前記反射板の駆動を制御することによって、室内への輻射熱の取り入れ、または、室内温度を調整する。
【００５５】
各階庭園（６）へ自動で潅水を行うエネルギー、各階庭園（６）へ自動で養液、薬剤を補給するエネルギーを前記太陽光発電によるようにする。以上を特徴とする自動日照システムである
【００５６】
図８は、立体庭園実施例の正面図である。立体庭園（２a）、立体庭園（２b）の実施例は、それぞれ図３、図９に示されている。複層建築物の立体庭園システムの管理において、立体庭園（２、２a、２b、４５）の管理のために前記立体庭園（２、２a、２b、４５）を地上へ通じるエレベーター、リフト、ゴンドラ、階段、梯子、クレーン等の管理縦動線（３０）で接続または前記立体庭園（２、２a、２b、４５）を通路、デッキ等の管理横動線（３１）で前記管理縦動線（３０）と接続することによって前記立体庭園（２、２a、２b、４５）を地上（１００）と接続する。１本または複数本の樹木からなる植栽ユニット（１２）の根（３６）または根（３６）を成育に伴って伸出できるように有孔の容器（３３）またはネットで用土と共に囲んだ植栽ユニットベース（１９）の回りに、粒状軽石等の用土または空隙によってなり、根（３６）を露出できるように造られた管理スペース（４０）を設け、定期的に管理スペース（４０）内の伸びた根（３６）を切断または樹木、植栽ユニット（１２）の植え替えをする管理を行う。図４では、植栽ユニットベース（１９）は、有孔の容器（３３）で用土と共に囲まれ、管理スペース（４０）は空隙によってなり、上部に点検蓋（３４）を被せている。点検蓋（３４）は、樹木の支持のために設けられた容器蓋の中の開口蓋として設ける。図１、図３、図９では、管理スペース（４０）は、粒状軽石等の用土によってなっている。潅水スペース（２０）が管理スペース（４０）を兼ねている。
【００５７】
図３は、立体庭園実施例の断面図である。複層建築物（１）の外壁または開口部より外側に床（３２）を取り付け、床上を立体庭園（２a）とする立体庭園において、上下層の床（３２）間の高さを前記複層建築物（１）の２層の高さとし、立面視、左右隣り合う立体庭園（２a）を上下に１層違えることによって、前記複層建築物（１）の各層（階）に前記複層建築物（１）の２層の高さを持った立体庭園（２a）を敷設する。
【００５８】
前記複層建築物（１）を集合住宅（４）、宿舎または室（以降集合住宅等と呼ぶ）とし、前記集合住宅等の概略１／２間口に前記立体庭園（２a）を敷設することによって、前記集合住宅（４）等の各住戸（４a）または各室に２層の高さの立体庭園（２a）を敷設する。
【００５９】
図９は、別な立体庭園実施例の平面図である。複層建築物（１）に敷設する立体庭園において、屋上またはバルコニーに立体庭園を階段状に設けることにより棚園（２b）とし、棚園を滝（９９）または水路（９８）でつなぎ、棚園（２b）内に水路（９８）を設け、水路（９８）より給水または水路へ排水することによって棚園（２b）の潅水をする。  
【００６０】
図４は、別な立体庭園実施例の断面図である。複層建築物（１）の外壁面に所定の奥行き（Ｌ）を持った開口を設け、前記開口に敷設する立体庭園（４５）において、前記立体庭園（４５）に蔓性植物（８）、斜幹（９）、懸崖（１０）または株性の樹木を前記複層建築物（１）の外壁面上または外壁面より外部へ幹枝が行くように植栽または植栽ユニット（１２）を設置し、そのための潅水設備（１３）と管理のための点検スペース（１４）または点検通路を設け、樹木を育成、管理していく。
【００６１】
前記立体庭園（２a、４５）回りを逆梁構造（４２）とし、スラブ（３２）天端から梁天端までのスペースを、前記立体庭園（２a、４５）の用土、ポット等のスペースとして使用する。（図３、図４参照）
【００６２】
図１０の（１）は、別な立体庭園実施例の断面図である。図９の（２）は、その平面図である。集合住宅等のバルコニー（７５）に敷設する立体庭園において、バルコニー（７５）先端部に縁（８０）を設け、この縁（８０）を一辺として他にも縁（８０）を床（３２）上に設けて縁（８０）で囲まれた庭園スペース（８１）を造り、前記縁（８０）の内側または天端にアンカーボルト（８２）を取り付け、前記庭園スペース（８１）内にネット（８３）を置き、床（３２）より所定の間隔を空けて前記アンカーボルト（８２）にネット（８３）を取り付け、ネット（８３）に植樹の根（３６）を絡ませることにより植樹を支持する。庭園への潅水の排水をバルコニー（７５）に設けられた竪樋（８４）へ排水する。
【００６３】
前記庭園スペース内（８１）の水上に有孔給水管（８３）を埋め、前記有孔給水管（２８）に給水することによって庭園スペース（８１）内に潅水し、その排水を竪樋（８４）へ流し、竪樋（８４）の排水を貯留槽へ流し、貯留槽の水を揚水して給水槽へ給水し、給水槽より庭園スペース内へ給水することによって潅水を循環させる。
【００６４】
前記立体庭園の管理において、バルコニーに設けられた非難梯子を管理のための縦動線とすることができる。
【００６５】
前記アンカーボルト（８２）を前記縁（８０）の内側とし、アンカーボルト（８２）を内側下へ向けて勾配を取り、アンカーボルトと前記縁（８０）との接点を庭園スペース（８１）内用土（１６）の上面より高くして建築躯体（６４）への水の浸入を防ぐ。
【００６６】
前記縁（８０）と床（３２）の替りに水盤状の容器を用い、ネット（８３）を前記容器に取り付ける。
【図面の簡単な説明】
【００６７】
【図１】複層建築物に敷設する立体庭園における自動潅水システム、自動栄養、薬剤補給システム及び泥の回収システム実施例の断面図。
【図２】自動潅水システム水循環実施例の系統図。
【図３】立体庭園及び自動潅水システム実施例の断面図。
【図４】別な立体庭園、自動潅水システム及び管理システム実施例の正面図。
【図５】潅水スペース実施例の断面図
【図６】別な自動潅水システム実施例の断面図。
【図７】自動日照システム実施例の断面図
【図８】立体庭園及び管理システム実施例の正面図
【図９】別な立体庭園実施例の平面図
【図１０】（１）は、別な立体庭園及び自動潅水システム実施例の断面図。（２）は、（１）の平面図。
【符号の説明】
【００６８】
１            複層建築物
２、２a、２b、４５  立体庭園
３            縦管
４            集合住宅
４a           住戸
６            各階庭園
７            表土の乾きセンサー
８            蔓性植物
９            斜幹
１０          懸崖
１２          植栽ユニット
１３          潅水設備
１４          点検スペース
１５          腰壁
１６          用土  
１７          容器
１９          植栽ユニットベース
２０          潅水スペース
２１          給水口
２２          オーバーフロー排水口
２３          排水口
２４          オーバーフロー貯水槽
２５          オーバーフロー貯水槽排水口
２６          泥溜
２７          貯留槽
２８          有孔給水管
２９          給水槽
３０          縦動線
３１          横動線
３２          床（スラブ）
３３          有孔の容器
３４          点検蓄
３６          根
３７          成型透水板
３８          有孔成型板
３９          透水性防根シート
４０          管理スペース
４２          逆梁構造
４３          養液、薬剤槽
５１          樹木
６３          防水層
６４          建築躯体
７５          バルコニー
７７          堆肥、薬剤の濃度センサー
７８          泥搬出口
７９          配水口
８０          縁
８１          庭園スペース
８２          アンカーボルト
８３          ネット
８４          竪樋
８５          隔板
８６          手摺
８７          排水溝
８８          排水溝点検蓋
８９、９１    用土止ネット
９０          ドレン
９８          水路
９９          滝
１００        地上
１０１、１０２ 、１０６、１０７，１０８  制御装置
１０３、１０４、１０５  弁
１１６        水位センサー
１１７        温度センサー
１２０        給水管
１２１        排水管
１２２        ポンプ
【図１】
2015037380.tif 000003
【図２】
2015037380.tif 000004
【図３】
2015037380.tif 000005
【図４】
2015037380.tif 000006
【図５】
2015037380.tif 000007
【図６】
2015037380.tif 000008
【図７】
2015037380.tif 000009
【図８】
2015037380.tif 000010
【図９】
2015037380.tif 000011
【図１０】
2015037380.tif 000012
【手続補正書】
【提出日】平成21年7月21日(2009.7.21)
【手続補正１】
【補正対象書類名】特許請求の範囲
【補正対象項目名】全文
【補正方法】変更
【補正の内容】
【特許請求の範囲】
【請求項１】
複層建築物に敷設する立体庭園の潅水において、
各階に、縦管で接続された排水口と給水口、各階庭園、潅水スペース、表土の乾きセンサー、制御装置、建物の最上部に、給水槽、建物の最下層に貯留槽を設け、
各階の前記排水口から前記縦管を通して排水して前記貯留槽へ給水し、前記貯留槽より前記給水槽に揚水し、前記給水槽から各階の前記給水口を介して、前記各階庭園へ給水し、
前記制御装置は、表土の乾きセンサーからのデータに基づき、前記給水口または前記排水口の弁の開閉によって、給水量または排水量を制御し、蒸発する水を、雨水、中水または上水を用いて、前記貯留槽へ給水して潅水を循環させることを特徴とする立体庭園における自動潅水システム。
【請求項２】
前記排水口の口径を、潅水スペースが満水になるまで給水された後、水が全部排水されるまでの時間を所定の時間にして潅水の時間を定めることにより、算出することを特徴とする請求項１記載の立体庭園における自動潅水システム。
【請求項３】
前記排水口に弁の口径調整装置を取り付け、各階庭園の表土の乾きを表土の乾きセンサーのデータに基づき、自動で排水口の弁の開閉を調整して排水量を調整することにより立体庭園の潅水の時間を自動的に調整することを特徴とする請求項１記載の立体庭園における自動潅水システム。
【請求項４】
制御装置は、１日に１回または複数回の潅水の時間帯を設定されて、前記時間帯での各階庭園の表土の乾きセンサーのデータに基づき、前記給水口または前記排水口の弁の開閉によって、給水量または排水量を制御することを特徴とする請求項１記載の立体庭園における自動潅水システム。
【請求項５】
前記潅水スペースを、根廻りの用土間の空隙、または、根を底部に開口を持つなどによって給排水性のある容器またはネットで用土と共に囲んだ植栽ユニットベース廻りの空隙とし、前記潅水スペースに水を流すことによって潅水することを特徴とする請求項１〜４までのいずれか一つに記載の立体庭園における自動潅水システム。
【請求項６】
前記複層建築物の躯体上の防水層の上に波型または格子状凹凸型等の成型透水板を置く、または、前記防水層の上に前型の成型有孔板を置き、前記成型有孔板の上に透水性防根シートを置くことによって、各階庭園底部に前記潅水スペースを造ったことを特徴とする請求項１〜４までのいずれか一つに記載の立体庭園における自動潅水システム。
【請求項７】
前記成型透水板を、化学的に中性で、耐蝕性の軽量骨材を中性の結合材で固めた成型透水板、珪藻土を固めた成型透水板等とし、多孔質で透水性があり、孔が微細で根を通さないことを特徴とする請求項６記載の立体庭園における自動潅水システム。
【請求項８】
各階庭園に、養液・薬液槽、養液と薬液の濃度センサー、制御装置を設け、前記濃度センサーからの濃度データに基づき、前記養液・薬液槽の給液口を制御することによって、各階庭園へ自動で養液、薬液を補給することを特徴とする請求項１〜７までのいずれか一つに記載の立体庭園における自動潅水システム。
【請求項９】
前記各階庭園と前記縦管との間にオーバーフロー貯水槽を設け、各階の庭園の排水口とオーバーフロー貯水槽、オーバーフロー貯水槽の排水口と縦管を繋ぎ、前記各階の庭園の排水口または前記オーバーフロー貯水槽排水口より下に泥だめを設けたことを特徴とする請求項１〜８までのいずれか一つに記載の立体庭園における自動潅水システム。
【請求項１０】
各階庭園に、植栽、潅水のための、池、水路、散水栓、噴霧栓、または、舗装のための保水床板を設け、各階庭園に接する室に開口、室の各階庭園と反対側に排気塔、または、外気に接した開口を設けることによって、夏季植栽の水分、または、池等の潅水のための装置または保水床板の水の気化熱（冷気）を室内に取り入れ、冬期庭園の輻射熱を室内に取り入れて前記排気塔、または、外気に接した開口へ抜くことを特徴とする請求項１〜９までのいずれか一つに記載の立体庭園における自動潅水システム。  
【請求項１１】
前記保水床板の水位を、水位センサーによって、保水床板の表面が濡れ過ぎないように、保水床板表面以下に維持することを特徴とする請求項１０記載の立体庭園における自動潅水システム。
【請求項１２】
前記各階庭園に接する室の開口、室の各階庭園と反対側の排気塔の開口または外気に接した開口に自動開閉式開口または換気扇を、室内に温度センサーを設け、温度センサーによって温度を探知し、自動開閉式開口の開閉または換気扇の回転を制御することによって、室内へ水の気化熱を取り入れて室内温度を調整することを特徴とする請求項１０または１１記載の立体庭園における自動潅水システム。
【請求項１３】
前記貯留槽の配水口より下に泥だめ、泥搬出口、貯留槽底の水位を探知する水位センサーを設け、前記貯留槽の底に勾配をつけることによって、前記貯留槽底の水位を探知し、前記泥搬出口より各階庭園の泥を、泥の重力で自動的に回収することを特徴とする請求項１記載の立体庭園における自動潅水システム。
【請求項１４】
各階庭園を滝または水路でつなぎ、前記水路より各階庭園へ給水、または、各階庭園より水路へ排水することを特徴とする請求項１〜１３いずれか一つに記載の立体庭園における自動潅水システム。
【手続補正２】
【補正対象書類名】明細書
【補正対象項目名】００２４
【補正方法】変更
【補正の内容】
【００２４】
各階庭園に、植栽、潅水のための、池、水路、散水栓、噴霧栓、または、舗装のための保水床板を設け、各階庭園に接する室に開口、室の各階庭園と反対側に排気塔、または、外気に接した開口を設けることによって、夏季植栽の水分、または、池等の潅水のための装置または保水床板の水の気化熱（冷気）を室内に取り入れ、冬期庭園の輻射熱を室内に取り入れて前記排気塔、または、外気に接した開口へ抜くことを特徴とする。
【手続補正３】
【補正対象書類名】明細書
【補正対象項目名】００２６
【補正方法】変更
【補正の内容】
【００２６】
前記各階庭園に接する室の開口、室の各階庭園と反対側の排気塔の開口または外気に接した開口に自動開閉式開口または換気扇を、室内に温度センサーを設け、温度センサーによって温度を探知し、自動開閉式開口の開閉または換気扇の回転を制御することによって、室内へ水の気化熱を取り入れて室内温度を調整することを特徴とする。
【手続補正４】
【補正対象書類名】明細書
【補正対象項目名】００２７
【補正方法】変更
【補正の内容】
【００２７】
各階庭園に、養液・薬液槽、養液と薬液の濃度センサー、制御装置を設け、前記濃度センサーからの濃度データに基づき、前記養液・薬液槽の給液口を制御することによって、各階庭園へ自動で養液、薬液を補給することを特徴とする。
【手続補正５】
【補正対象書類名】明細書
【補正対象項目名】００３２
【補正方法】変更
【補正の内容】
【００３２】
屋上またはバルコニーに各階庭園を階段状に設けることにより棚園（２b）とし、棚園を滝（９９）または水路（９８）でつなぎ、棚園（２b）内に水路（９８）を設け、水路（９８）より給水または水路へ排水することによって棚園（２b）の潅水をする。
【手続補正６】
【補正対象書類名】明細書
【補正対象項目名】００４１
【補正方法】変更
【補正の内容】
【００４１】
前記排水口（２３）の口径を、潅水スペースが満水になるまで給水された後、水が全部排水されるまでの時間を所定の時間にして潅水の時間を定めることにより、算出した口径としても良い。
【手続補正７】
【補正対象書類名】明細書
【補正対象項目名】００４４
【補正方法】変更
【補正の内容】
【００４４】
図１参照。複層建築物（１）に敷設する立体庭園（２）の栄養、薬剤の補給において、
各階庭園（６）に、養液・薬液槽（４３）、養液・薬液の濃度センサー（７７）、制御装置を設け、前記濃度センサー（７７）からのデータに基づき、前記養液・薬液槽（４３）の養液口を制御することによって、各階庭園（６）へ自動で養液、薬液を補給する。以上を特徴とする立体庭園における自動栄養、薬剤補給システムである。
各階庭園（６）の排水管（１２１）の排水液において、ガラス電極法にてｐｈを測定し、酸化還元電位計、電導率計、溶存酸素計にて、酸化還元度、電導率、溶存酸素を測定して、堆肥または薬剤の濃度を算出する。養液、薬剤槽（４３）は、槽内にて養液槽と薬剤槽に分割される。
【手続補正８】
【補正対象書類名】明細書
【補正対象項目名】００４９
【補正方法】変更
【補正の内容】
【００４９】
図６参照。各階庭園に、植栽、潅水のための、池、水路（９８）、散水栓、噴霧栓（１１５）、または、舗装のための保水床板（１１０）を設け、各階庭園に接する室に開口（１１１）、室の各階庭園と反対側に排気塔（１１２）または、外気に接した開口を設けることによって、夏季植栽の水分、または、池等の潅水のための装置または保水床板（１１０）の水の気化熱（冷気）を室内に取り入れ、冬期庭園の輻射熱を室内に取り入れて前記排気塔（１１２）、または、外気に接した開口へ抜くことを特徴とする。潅水のための水、保水床板の水に地下水を利用することによって、各階庭園の外気温を下げることができる。排気塔に、階段、エレベーターシャフト等を利用することができる。
【手続補正９】
【補正対象書類名】明細書
【補正対象項目名】００５１
【補正方法】変更
【補正の内容】
【００５１】
前記各階庭園に接する室の開口（１１１）、室の各階庭園と反対側の排気塔（１１２）の開口（１１１a）または外気に接した開口に自動開閉式開口または換気扇を、室内に温度センサー（１１７）を設け、温度センサー（１１７）によって温度を探知し、自動開閉式開口の開閉または換気扇の回転を制御することによって、室内へ水の気化熱を取り入れて室内温度を調整する。以上を特徴とする自動潅水システムである。
【手続補正１０】
【補正対象書類名】明細書
【補正対象項目名】００５９
【補正方法】変更
【補正の内容】
【００５９】
図９は、別な立体庭園実施例の平面図である。複層建築物（１）に敷設する立体庭園において、屋上またはバルコニーに各階庭園を階段状に設けることにより棚園（２b）とし、棚園を滝（９９）または水路（９８）でつなぎ、棚園（２b）内に水路（９８）を設け、水路（９８）より給水または水路へ排水することによって棚園（２b）の潅水をする。
【手続補正１１】
【補正対象書類名】明細書
【補正対象項目名】００６８
【補正方法】変更
【補正の内容】
【００６８】
１            複層建築物
２、２a、２b、４５  立体庭園
３            縦管
４            集合住宅
４a           住戸
６            各階庭園
７            表土の乾きセンサー
８            蔓性植物
９            斜幹
１０          懸崖
１２          植栽ユニット
１３          潅水設備
１４          点検スペース
１５          腰壁
１６          用土  
１７          容器
１９          植栽ユニットベース
２０          潅水スペース
２１          給水口
２２          オーバーフロー排水口
２３          排水口
２４          オーバーフロー貯水槽
２５          オーバーフロー貯水槽排水口
２６          泥溜
２７          貯留槽
２８          有孔給水管
２９          給水槽
３０          縦動線
３１          横動線
３２          床（スラブ）
３３          有孔の容器
３４          点検蓄
３６          根
３７          成型透水板
３８          有孔成型板
３９          透水性防根シート
４０          管理スペース
４２          逆梁構造
４３          養液・薬液槽
５１          樹木
６３          防水層
６４          建築躯体
７５          バルコニー
７７          養液と薬液の濃度センサー
７８          泥搬出口
７９          配水口
８０          縁
８１          庭園スペース
８２          アンカーボルト
８３          ネット
８４          竪樋
８５          隔板
８６          手摺
８７          排水溝
８８          排水溝点検蓋
８９、９１    用土止ネット
９０          ドレン
９８          水路
９９          滝
１００        地上
１０１、１０２ 、１０６、１０７，１０８  制御装置
１０３、１０４、１０５  弁
１１６        水位センサー
１１７        温度センサー
１２０        給水管
１２１        排水管
１２２        ポンプ
【手続補正書】
【提出日】平成21年12月18日(2009.12.18)
【手続補正１】
【補正対象書類名】特許請求の範囲
【補正対象項目名】全文
【補正方法】変更
【補正の内容】
【特許請求の範囲】
【請求項１】
複層建築物に敷設する立体庭園の潅水において、
各階に、縦管で接続された排水口と給水口、各階庭園、潅水スペース、表土の乾きセンサー、制御装置、建物の最上部に、給水槽、建物の最下層に貯留槽を設け、
各階の前記排水口から前記縦管を通して排水して前記貯留槽へ給水し、
前記貯留槽より前記給水槽に揚水し、前記給水槽から各階の前記給水口を介して、前記各階庭園へ給水し、
前記制御装置は、表土の乾きセンサーからのデータに基づき、前記給水口の弁の開閉によって給水量を制御し、前記排水口の弁の開閉によって潅水スペースの排水量を調整して潅水時間を制御し、
蒸発する水を、雨水、中水または上水のいずれかを用いて、前記貯留槽へ給水して潅水を循環させることを特徴とする立体庭園における自動潅水システム。
【請求項２】
前記潅水スペースを、根に潅水した後、余分な水を流して排水口に至らしめるスペースとして、潅水スペースが満水になるまで給水された後所定の時間潅水するように、排水口の口径を定めたことを特徴とする請求項１記載の立体庭園における自動潅水システム。
【請求項３】
制御装置は、１日に１回または複数回の潅水の時間帯を設定されて、前記時間帯での各階庭園の表土の乾きセンサーからのデータに基づき、前記給水口の弁の開閉によって給水量を制御し、前記排水口弁の開閉によって潅水スペースの排水量を調整して潅水時間を制御することを特徴とする請求項１記載の立体庭園における自動潅水システム。
【請求項４】
前記潅水スペースを、根廻りの用土間の空隙、底部に開口があるなどにより給排水性を持った容器で根を用土と共に囲んだ容器廻りの空隙、または、ネットで用土と共に囲んだ植栽ユニットベース廻りの空隙とし、前記潅水スペースに水を流すことによって潅水することを特徴とする請求項１〜３までのいずれか一つに記載の立体庭園における自動潅水システム。
【請求項５】
前記複層建築物の躯体上の防水層の上に波型または格子状凹凸型等の成型透水板を置く、または、前記防水層の上に前型の成型有孔板を置き、前記成型有孔板の上に透水性防根シートを置くことによって、各階庭園底部に前記潅水スペースを造り根の侵入を防いだことを特徴とする請求項１〜３までのいずれか一つに記載の立体庭園における自動潅水システム。
【請求項６】
前記成型透水板を、化学的に中性で、耐蝕性の軽量骨材を中性の結合材で固めた成型透水板または珪藻土を固めた成型透水板とし、多孔質で透水性があり、孔が微細で根を通さないことを特徴とする請求項５記載の立体庭園における自動潅水システム。
【請求項７】
各階庭園に、養液・薬液槽、養液と薬液の濃度センサー及び養液・薬液制御装置を設け、前記濃度センサーからの濃度データに基づき、前記養液・薬液槽の給液口を制御することによって、各階庭園へ自動で養液、薬液を補給することを特徴とする請求項１〜６までのいずれか一つに記載の立体庭園における自動潅水システム。
【請求項８】
各階庭園に接する室及び室の各階庭園と反対側に開口を、室内に温度センサーを設け、温度センサーによって温度を探知し、開口の開閉または換気扇の回転を制御することによって、室内へ水の気化熱を取り入れて室内温度を調整することを特徴とする請求項１〜７までのいずれか一つに記載の立体庭園における自動潅水システム。
【請求項９】
前記貯留槽の配水口より下に泥だめと泥搬出口を設け、前記貯留槽の底に勾配をつけ、前記泥搬出口を開けて各階庭園の泥を、泥の重力で自動的に回収することを特徴とする請求項１記載の立体庭園における自動潅水システム。
【請求項１０】
前記貯留槽内に水位を探知する水位センサーを設け、前記貯留槽底の水位を探知することによって、泥搬出口の開閉を行うことを特徴とする請求項９記載の立体庭園における自動潅水システム。
【手続補正２】
【補正対象書類名】明細書
【補正対象項目名】００４０
【補正方法】変更
【補正の内容】
【００４０】
以下、発明を図示する実施形態に基づいて説明する。図１は、本発明の立体庭園における自動潅水システムついて示した実施例の断面図である。
複層建築物（１）に敷設する立体庭園（２）の潅水において、
各階に、縦管（３）で接続された排水口（２３）と給水口（２１）、各階庭園（６）、潅水スペース（２０）、表土の乾きセンサー（７）、制御装置（１０１，１０６，１０８）、建物の最上部に、給水槽（２９）、建物の最下層に貯留槽（２７）を設け、
各階の排水口から縦管（３）を通して排水して貯留槽（２７）へ給水し、前記貯留槽（２７）より給水槽（２９）に揚水し、給水槽（２９）から各階の給水口（２１）を介して、各階庭園（６）へ給水し、
前記制御装置（１０１，１０６，１０８）は、表土の乾きセンサー（７）からのデータに基づき、前記給水口（６）、または、排水口（２３）の制御によって、給水量、または、排水量を制御し、蒸発する水を雨水、中水または上水を自動で補充制御して、潅水を循環させることを特徴とする立体庭園における自動潅水システムである。
乾きセンサー（７）に、電気式湿度計のセンサーを利用できる。即ち、乾きセンサー部分に、水蒸気の増減によって静電容量が変化するチップを入れておき、これによって各階庭園（６）の表土の乾きを探知してこれを制御盤（１０１）で受けて、給水口（２１）または排水口（２３）の開閉弁（１０５、１０３）を、制御装置（１０１，１０６，１０８）によって制御する。
【手続補正３】
【補正対象書類名】明細書
【補正対象項目名】００４２
【補正方法】変更
【補正の内容】
【００４２】
前記排水口（２３）に弁による口径調整装置（１０８）を取り付け、各階庭園の表土の乾きを表土の乾きセンサー（７）のデータに基づき、自動で排水口の弁の開閉を調整して潅水スペースの排水量を調整することにより立体庭園の潅水の時間を自動的に制御する。
図２は、潅水循環の実施例である。図２の（１）は比較的小規模な立体庭園の実施例で、各階庭園の（６）の配水を別な各階庭園（６）へ給水し、最下層の各階庭園（６）から最上層の各階庭園（６）へポンプアップ、給水して潅水を循環、蒸発する水を雨水、中水または上水で補充する。図２の（２）は、最下層に貯留槽（２７）、最上層に給水槽（２９）を設けた例である。図２の（３）は、給水槽（２９）から各階庭園（６）へ給水し、各階庭園（６）から貯留槽（２７）へ排水する例である。
【手続補正４】
【補正対象書類名】明細書
【補正対象項目名】００４３
【補正方法】変更
【補正の内容】
【００４３】
１日に１回または複数回の潅水の時間帯を設定することによって、各階庭園（６）の表土の乾きを表土の乾きセンサー（７）で探知して給水時間、散水時間または排水口（２３）の口径（乾き度から潅水スペースの排水量を調整する）を演算して自動的に潅水する。
即ち、（a）制御盤に、１日に１回または複数回の潅水の時間を設定する。例（夏季）１０時、１６時。散水栓、開放度８０％と設定。（b）表土の乾きセンサーより給水量を算出。（c）（排水口の口径を、潅水スペースが満水になるまで給水された後所定の時間潅水するように算出された口径としておく場合）散水時間を決めて、その間散水栓の弁を開ける。または、（c）（排水口に口径調整装置を付けておく場合）散水時間を決めて、その間散水栓の弁を開け、排水口の口径を調整し、所定の時間潅水する。である。制御装置は、制御盤（１０１）、給水口（２１）または排水口（２３）の弁（１０５、１０３）の開閉装置（１０６，１０８）、排水口（２３）の口径調整装置（１０３，１０８）によって構成される。制御盤（１０１）は、例えば、建物（施設）監視室内に置かれ、弁の開閉装置または口径調整装置は、弁と共に給水口または排水口に設けられる。
制御盤（１０１）、開閉装置（１０５，１０８）、センサー（７）の接続は、無線または有線であっても良い。
【手続補正５】
【補正対象書類名】明細書
【補正対象項目名】００４５
【補正方法】変更
【補正の内容】
【００４５】
図３、図４参照。前記潅水スペース（２０）を、根（３６）廻りの用土間の空隙、底部に開口があるなどにより給排水性を持った容器（１７）で根を用土と共に囲んだ容器（１７）廻りの空隙、または、ネットで用土と共に囲んだ植栽ユニットベース（１９）廻りの空隙とし、根または植栽ユニットベース廻りに水を流すことによって潅水する。図３は、根（３６）廻りに、粒状軽石など用土間の空隙によって水が流れる（潅水する）ように造られた潅水スペース（２０）の実施例である。図４は、給排水性のある容器（１７）に入れた植栽ユニットベース（１９）の廻りの空隙によって水が流れるように造られた潅水スペース（２０）である。